(57)【要約】【課題】  優れた放射性同位元素の除去活性を有する藻類または水草を同定し、これらを用いた放射性同位元素の除去剤および除去方法を提供すること。【解決手段】  多くの藻類および水草における放射性同位元素の除去活性の検討を行った結果、特定の藻類および水草が極めて優れた放射性同位元素の除去活性を示すことを見出した。見出した藻類および水草を利用した放射性同位元素の除去剤および除去方法が提供された。【選択図】  なし【特許請求の範囲】
【請求項１】
ミコナステス（Mychonastes）属、トレボウクシア（Trebouxia）属、ムリエラ（Muriella）属、メソスティグマ（Mesostigma）属、スティココッカス（Stichococcus）属、ウロスリックス（Ulothrix）属、スピロギラ（Spirogyra）属、リゾクロニウム（Rhizochlonium）属、オエドゴニウム（Oedogonium）属、テトラセルミス（Tetraselmis）属、ヘマトコッカス（Haematococcus）属、クレブソルミディウム（Klebsormidium）属、コエラストラム（Coelastrum）属、カルテリア（Carteria）属、ペディアストラム（Pediastrum）属、ポリエドリオプシス（Polyedriopsis）属、クロロモナス（Chloromonas）属、プレオドリナ（Pleodorina）属、ヴィシェリア（Vischeria）属、ポテリオオクロモナス（Poterioochromonas）属、オリストディスカス（Olisthodiscus）属、エピピクシス（Epipyxis）属、シゾクラディア（Schizocladia）属、アシネトスポラ（Acinetospora）属、ニッチア（Nitzschia）属、アステリオネロプシス（Asterionellopsis）属、オフィオキティウム（Ophiocytium）属、ヘテロシグマ（Heterosigma）属、ロデラ（Rhodella）属、バンギア（Bangia）属、バンギオプシス（Bangiopsis）属、ポルフィリディウム（Porphyridium）属、バトラコスペルマム（Batrachospermum）属、ゲフィロカプサ（Gephyrocapsa）属、トグラ（Togula）属、プロロセントラム（Prorocentrum）属、ノストック（Nostoc）属、スティゴネマ（Stigonema）属、スキトネマ（Scytonema）属、アファニゾメノン（Aphanizomenon）属、グロエオカプサ（Gloeocapsa）属、オシラトリア（Oscillatoria）属、ヘミセルミス（Hemiselmis）属、およびクリプトモナス（Cryptomonas）属からなる群より選択される属に属し、放射性同位元素を吸収する能力を有する藻類、またはエレオカリス（Eleocharis）属、エゲリア（Egeria）属、カボンバ（Cabomba）属、およびレムナ（Lemna）属からなる群より選択される属に属し、放射性同位元素を吸収する能力を有する水草を含む、放射性同位元素の除去剤。
【請求項２】
前記藻類がトレボウクシア・エリシ（Trebouxia erici）、ムリエラ・ゾフィンジェンシス（Muriella zofingiensis）、メソスティグマ・ビリデ（Mesostigma viride）、スティココッカス・バシラリス（Stichococcus bacillaris）、ウロスリックス・ヴァリアビリス（Ulothrix variabilis）、ペディアストラム・シンプレックス（Pediastrum simplex）、ポリエドリオプシス・スピヌロサ（Polyedriopsis spinulosa）、ヴィシェリア・パンクタタ（Vischeria punctata）、ポテリオオクロモナス・マルハメンシス（Poterioochromonas malhamensis）、オリストディスカス・ルテウス（Olisthodiscus luteus）、エピピクシス・グラブラ（Epipyxis glabra）、シゾクラディア・イシエンシス（Schizocladia ischiensis）、アシネトスポラ・クリニタ（Acinetospora crinita）、ニッチア・パレア（Nitzschia palea）、アステリオネロプシス・グラシアリス（Asterionellopsis glacialis）、ヘテロシグマ・アカシオ（Heterosigma akashiwo）、ロデラ・ヴィオラセア（Rhodella violacea）、ポルフィリディウム・アエルギネウム（Porphyridium aerugineum）、バトラコスペルマム・ヴィルガト-デカイスニアナム（Batrachospermum virgato-decaisneanum）、ゲフィロカプサ・オセアニカ（Gephyrocapsa oceanica）、トグラ・ブリタニカ（Togula britannica）、ノストック・コミュン（Nostoc commune）、スティゴネマ・オセラタム（Stigonema ocellatum）、スキトネマ・ジャヴァニカム（Scytonema javanicum）、アファニゾメノン・フロス-アクアエ（Aphanizomenon flos-aquae）、グロエオカプサ・デコルティカンス（Gloeocapsa decorticans）、およびオシラトリア・リムネティカ（Oscillatoria limnetica）からなる群より選択される藻類であり、前記水草がエレオカリス・アシクラリス（Eleocharis acicularis）、エゲリア・デンサ（Egeria densa）、カボンバ・カロリニアナ（Cabomba caroliniana）、およびレムナ・アオウキクサ（Lemna aoukikusa）からなる群より選択される水草である、請求項１に記載の放射性同位元素の除去剤。
【請求項３】
独立行政法人国立環境研究所の株番号がNIES-2854〜NIES-2860のいずれかで特定される藻類を含む、放射性同位元素の除去剤。
【請求項４】
放射性同位元素が、放射性セシウム、放射性ヨウ素、および放射性ストロンチウムからなる群より選択されるものである、請求項１から３のいずれかに記載の放射性同位元素の除去剤。
【請求項５】
ミコナステス（Mychonastes）属、トレボウクシア（Trebouxia）属、ムリエラ（Muriella）属、メソスティグマ（Mesostigma）属、スティココッカス（Stichococcus）属、ウロスリックス（Ulothrix）属、スピロギラ（Spirogyra）属、リゾクロニウム（Rhizochlonium）属、オエドゴニウム（Oedogonium）属、テトラセルミス（Tetraselmis）属、ヘマトコッカス（Haematococcus）属、クレブソルミディウム（Klebsormidium）属、コエラストラム（Coelastrum）属、カルテリア（Carteria）属、ペディアストラム（Pediastrum）属、ポリエドリオプシス（Polyedriopsis）属、クロロモナス（Chloromonas）属、プレオドリナ（Pleodorina）属、ヴィシェリア（Vischeria）属、ポテリオオクロモナス（Poterioochromonas）属、オリストディスカス（Olisthodiscus）属、エピピクシス（Epipyxis）属、シゾクラディア（Schizocladia）属、アシネトスポラ（Acinetospora）属、ニッチア（Nitzschia）属、アステリオネロプシス（Asterionellopsis）属、オフィオキティウム（Ophiocytium）属、ヘテロシグマ（Heterosigma）属、ロデラ（Rhodella）属、バンギア（Bangia）属、バンギオプシス（Bangiopsis）属、ポルフィリディウム（Porphyridium）属、バトラコスペルマム（Batrachospermum）属、ゲフィロカプサ（Gephyrocapsa）属、トグラ（Togula）属、プロロセントラム（Prorocentrum）属、ノストック（Nostoc）属、スティゴネマ（Stigonema）属、スキトネマ（Scytonema）属、アファニゾメノン（Aphanizomenon）属、グロエオカプサ（Gloeocapsa）属、オシラトリア（Oscillatoria）属、ヘミセルミス（Hemiselmis）属、およびクリプトモナス（Cryptomonas）属からなる群より選択される属に属し、放射性同位元素を吸収する能力を有する藻類、またはエレオカリス（Eleocharis）属、エゲリア（Egeria）属、カボンバ（Cabomba）属、およびレムナ（Lemna）属からなる群より選択される属に属し、放射性同位元素を吸収する能力を有する水草を、放射性同位元素を含む対象に施用することを含む、放射性同位元素の除去方法。
【請求項６】
前記藻類がトレボウクシア・エリシ（Trebouxia erici）、ムリエラ・ゾフィンジェンシス（Muriella zofingiensis）、メソスティグマ・ビリデ（Mesostigma viride）、スティココッカス・バシラリス（Stichococcus bacillaris）、ウロスリックス・ヴァリアビリス（Ulothrix variabilis）、ペディアストラム・シンプレックス（Pediastrum simplex）、ポリエドリオプシス・スピヌロサ（Polyedriopsis spinulosa）、ヴィシェリア・パンクタタ（Vischeria punctata）、ポテリオオクロモナス・マルハメンシス（Poterioochromonas malhamensis）、オリストディスカス・ルテウス（Olisthodiscus luteus）、エピピクシス・グラブラ（Epipyxis glabra）、シゾクラディア・イシエンシス（Schizocladia ischiensis）、アシネトスポラ・クリニタ（Acinetospora crinita）、ニッチア・パレア（Nitzschia palea）、アステリオネロプシス・グラシアリス（Asterionellopsis glacialis）、ヘテロシグマ・アカシオ（Heterosigma akashiwo）、ロデラ・ヴィオラセア（Rhodella violacea）、ポルフィリディウム・アエルギネウム（Porphyridium aerugineum）、バトラコスペルマム・ヴィルガト-デカイスニアナム（Batrachospermum virgato-decaisneanum）、ゲフィロカプサ・オセアニカ（Gephyrocapsa oceanica）、トグラ・ブリタニカ（Togula britannica）、ノストック・コミュン（Nostoc commune）、スティゴネマ・オセラタム（Stigonema ocellatum）、スキトネマ・ジャヴァニカム（Scytonema javanicum）、アファニゾメノン・フロス-アクアエ（Aphanizomenon flos-aquae）、グロエオカプサ・デコルティカンス（Gloeocapsa decorticans）、およびオシラトリア・リムネティカ（Oscillatoria limnetica）からなる群より選択される藻類であり、前記水草がエレオカリス・アシクラリス（Eleocharis acicularis）、エゲリア・デンサ（Egeria densa）、カボンバ・カロリニアナ（Cabomba caroliniana）、およびレムナ・アオウキクサ（Lemna aoukikusa）からなる群より選択される水草である、請求項５に記載の放射性同位元素の除去方法。
【請求項７】
独立行政法人国立環境研究所の株番号がNIES-2854〜NIES-2860のいずれかで特定される藻類を、放射性同位元素を含む対象に施用することを含む、放射性同位元素の除去方法。
【請求項８】
放射性同位元素が、放射性セシウム、放射性ヨウ素、および放射性ストロンチウムからなる群より選択されるものである、請求項５から７のいずれかに記載の放射性同位元素の除去方法。
【請求項９】
独立行政法人国立環境研究所の株番号がNIES-2854〜NIES-2860のいずれかで特定される藻類。
【発明の詳細な説明】
【技術分野】
【０００１】
本発明は、藻類または水草を利用した放射性同位元素の除去剤および除去方法に関する。
【背景技術】
【０００２】
藻類や植物における元素の吸収や蓄積については、コンブ等の大型褐藻類は高濃度にヨウ素を藻体内に蓄積するとの知見（非特許文献１、２）、微細藻類では珪藻類やある種のハプト藻がヨウ素を吸収し、細胞内に濃縮するとの知見（非特許文献３〜５）、ストロンチウムがカルシウムの類似物質（アナログ）として、カルシウムと共に円石藻類に蓄積するとの知見（非特許文献６）、ミカヅキモが液胞のバライトにストロンチウムを蓄積するとの知見（非特許文献７）がある。また、セシウムはカリウムのアナログであるため、淡水産クロレラや陸上植物のヒマワリで培地中のカリウム濃度を低下させることで効率的な放射性セシウムを吸収し、培養液から除去する作用があることも報告されている（非特許文献８、９）。
【先行技術文献】
【非特許文献】
【０００３】
【非特許文献１】Martinelango,  P.K.  et  al.,  (2006)  Analytica  Chimica  Acta  567:  100-107.
【非特許文献２】Kupper,  F.C.  et  al.,  (1998)  Planta  207:  163-171.
【非特許文献３】de  la  Cuesta,  J.L.  and  Manley,  S.L.  (2009)  Limnology  and  Oceanography  54:  1653-1664.
【非特許文献４】Wilson,  R.C.  et  al.,  (2007)  Journal  of  Environmental  Radioactivity  96:  75-84.
【非特許文献５】Moisan,  T.A.  et  al.,  (1994)  Journal  of  Phycology  30:  580-587.
【非特許文献６】Obata  T  et  al.,  (2004)  Mar  Biotechnol  6:  S66-S70.
【非特許文献７】Krejci,  M.  R.  et  al.,  (2011)  ChemSusChem,  4:  470-473.
【非特許文献８】PLATO,  P.  and  DENOVAN,  J.T.  (1974)  Radiation  Botany  14:  37-41.
【非特許文献９】Dushenkov,  S.  et  al.,  (1997)  Environ.  Sci.  Technol.,  31:  3468-3474.
【発明の概要】
【発明が解決しようとする課題】
【０００４】
本発明は、優れた放射性同位元素の除去活性を有する藻類または水草を同定し、これらを用いた放射性同位元素の除去剤および除去方法を提供することを課題とする。
【課題を解決するための手段】
【０００５】
本発明者らは、上記課題を解決すべく、多くの藻類および水草における放射性同位元素の除去活性の検討を行った結果、特定の藻類および水草が極めて優れた放射性同位元素の除去活性を示すことを見出し、本発明を完成するに至った。
【０００６】
本発明は、このような藻類および水草を利用した放射性同位元素の除去剤および除去方法に関するものであり、より詳しくは以下を提供するものである。
【０００７】
（１）ミコナステス（Mychonastes）属、トレボウクシア（Trebouxia）属、ムリエラ（Muriella）属、メソスティグマ（Mesostigma）属、スティココッカス（Stichococcus）属、ウロスリックス（Ulothrix）属、スピロギラ（Spirogyra）属、リゾクロニウム（Rhizochlonium）属、オエドゴニウム（Oedogonium）属、テトラセルミス（Tetraselmis）属、ヘマトコッカス（Haematococcus）属、クレブソルミディウム（Klebsormidium）属、コエラストラム（Coelastrum）属、カルテリア（Carteria）属、ペディアストラム（Pediastrum）属、ポリエドリオプシス（Polyedriopsis）属、クロロモナス（Chloromonas）属、プレオドリナ（Pleodorina）属、ヴィシェリア（Vischeria）属、ポテリオオクロモナス（Poterioochromonas）属、オリストディスカス（Olisthodiscus）属、エピピクシス（Epipyxis）属、シゾクラディア（Schizocladia）属、アシネトスポラ（Acinetospora）属、ニッチア（Nitzschia）属、アステリオネロプシス（Asterionellopsis）属、オフィオキティウム（Ophiocytium）属、ヘテロシグマ（Heterosigma）属、ロデラ（Rhodella）属、バンギア（Bangia）属、バンギオプシス（Bangiopsis）属、ポルフィリディウム（Porphyridium）属、バトラコスペルマム（Batrachospermum）属、ゲフィロカプサ（Gephyrocapsa）属、トグラ（Togula）属、プロロセントラム（Prorocentrum）属、ノストック（Nostoc）属、スティゴネマ（Stigonema）属、スキトネマ（Scytonema）属、アファニゾメノン（Aphanizomenon）属、グロエオカプサ（Gloeocapsa）属、オシラトリア（Oscillatoria）属、ヘミセルミス（Hemiselmis）属、およびクリプトモナス（Cryptomonas）属からなる群より選択される属に属し、放射性同位元素を吸収する能力を有する藻類、またはエレオカリス（Eleocharis）属、エゲリア（Egeria）属、カボンバ（Cabomba）属、およびレムナ（Lemna）属からなる群より選択される属に属し、放射性同位元素を吸収する能力を有する水草を含む、放射性同位元素の除去剤。
【０００８】
（２）前記藻類がトレボウクシア・エリシ（Trebouxia erici）、ムリエラ・ゾフィンジェンシス（Muriella zofingiensis）、メソスティグマ・ビリデ（Mesostigma viride）、スティココッカス・バシラリス（Stichococcus bacillaris）、ウロスリックス・ヴァリアビリス（Ulothrix variabilis）、ペディアストラム・シンプレックス（Pediastrum simplex）、ポリエドリオプシス・スピヌロサ（Polyedriopsis spinulosa）、ヴィシェリア・パンクタタ（Vischeria punctata）、ポテリオオクロモナス・マルハメンシス（Poterioochromonas malhamensis）、オリストディスカス・ルテウス（Olisthodiscus luteus）、エピピクシス・グラブラ（Epipyxis glabra）、シゾクラディア・イシエンシス（Schizocladia ischiensis）、アシネトスポラ・クリニタ（Acinetospora crinita）、ニッチア・パレア（Nitzschia palea）、アステリオネロプシス・グラシアリス（Asterionellopsis glacialis）、ヘテロシグマ・アカシオ（Heterosigma akashiwo）、ロデラ・ヴィオラセア（Rhodella violacea）、ポルフィリディウム・アエルギネウム（Porphyridium aerugineum）、バトラコスペルマム・ヴィルガト-デカイスニアナム（Batrachospermum virgato-decaisneanum）、ゲフィロカプサ・オセアニカ（Gephyrocapsa oceanica）、トグラ・ブリタニカ（Togula britannica）、ノストック・コミュン（Nostoc commune）、スティゴネマ・オセラタム（Stigonema ocellatum）、スキトネマ・ジャヴァニカム（Scytonema javanicum）、アファニゾメノン・フロス-アクアエ（Aphanizomenon flos-aquae）、グロエオカプサ・デコルティカンス（Gloeocapsa decorticans）、およびオシラトリア・リムネティカ（Oscillatoria limnetica）からなる群より選択される藻類であり、前記水草がエレオカリス・アシクラリス（Eleocharis acicularis）、エゲリア・デンサ（Egeria densa）、カボンバ・カロリニアナ（Cabomba caroliniana）、およびレムナ・アオウキクサ（Lemna aoukikusa）からなる群より選択される水草である、（１）に記載の放射性同位元素の除去剤。
【０００９】
（３）独立行政法人国立環境研究所の株番号がNIES-2854〜NIES-2860のいずれかで特定される藻類を含む、放射性同位元素の除去剤。
【００１０】
（４）放射性同位元素が、放射性セシウム、放射性ヨウ素、および放射性ストロンチウムからなる群より選択されるものである、（１）から（３）のいずれかに記載の放射性同位元素の除去剤。
【００１１】
（５）ミコナステス（Mychonastes）属、トレボウクシア（Trebouxia）属、ムリエラ（Muriella）属、メソスティグマ（Mesostigma）属、スティココッカス（Stichococcus）属、ウロスリックス（Ulothrix）属、スピロギラ（Spirogyra）属、リゾクロニウム（Rhizochlonium）属、オエドゴニウム（Oedogonium）属、テトラセルミス（Tetraselmis）属、ヘマトコッカス（Haematococcus）属、クレブソルミディウム（Klebsormidium）属、コエラストラム（Coelastrum）属、カルテリア（Carteria）属、ペディアストラム（Pediastrum）属、ポリエドリオプシス（Polyedriopsis）属、クロロモナス（Chloromonas）属、プレオドリナ（Pleodorina）属、ヴィシェリア（Vischeria）属、ポテリオオクロモナス（Poterioochromonas）属、オリストディスカス（Olisthodiscus）属、エピピクシス（Epipyxis）属、シゾクラディア（Schizocladia）属、アシネトスポラ（Acinetospora）属、ニッチア（Nitzschia）属、アステリオネロプシス（Asterionellopsis）属、オフィオキティウム（Ophiocytium）属、ヘテロシグマ（Heterosigma）属、ロデラ（Rhodella）属、バンギア（Bangia）属、バンギオプシス（Bangiopsis）属、ポルフィリディウム（Porphyridium）属、バトラコスペルマム（Batrachospermum）属、ゲフィロカプサ（Gephyrocapsa）属、トグラ（Togula）属、プロロセントラム（Prorocentrum）属、ノストック（Nostoc）属、スティゴネマ（Stigonema）属、スキトネマ（Scytonema）属、アファニゾメノン（Aphanizomenon）属、グロエオカプサ（Gloeocapsa）属、オシラトリア（Oscillatoria）属、ヘミセルミス（Hemiselmis）属、およびクリプトモナス（Cryptomonas）属からなる群より選択される属に属し、放射性同位元素を吸収する能力を有する藻類、またはエレオカリス（Eleocharis）属、エゲリア（Egeria）属、カボンバ（Cabomba）属、およびレムナ（Lemna）属からなる群より選択される属に属し、放射性同位元素を吸収する能力を有する水草を、放射性同位元素を含む対象に施用することを含む、放射性同位元素の除去方法。
【００１２】
（６）前記藻類がトレボウクシア・エリシ（Trebouxia erici）、ムリエラ・ゾフィンジェンシス（Muriella zofingiensis）、メソスティグマ・ビリデ（Mesostigma viride）、スティココッカス・バシラリス（Stichococcus bacillaris）、ウロスリックス・ヴァリアビリス（Ulothrix variabilis）、ペディアストラム・シンプレックス（Pediastrum simplex）、ポリエドリオプシス・スピヌロサ（Polyedriopsis spinulosa）、ヴィシェリア・パンクタタ（Vischeria punctata）、ポテリオオクロモナス・マルハメンシス（Poterioochromonas malhamensis）、オリストディスカス・ルテウス（Olisthodiscus luteus）、エピピクシス・グラブラ（Epipyxis glabra）、シゾクラディア・イシエンシス（Schizocladia ischiensis）、アシネトスポラ・クリニタ（Acinetospora crinita）、ニッチア・パレア（Nitzschia palea）、アステリオネロプシス・グラシアリス（Asterionellopsis glacialis）、ヘテロシグマ・アカシオ（Heterosigma akashiwo）、ロデラ・ヴィオラセア（Rhodella violacea）、ポルフィリディウム・アエルギネウム（Porphyridium aerugineum）、バトラコスペルマム・ヴィルガト-デカイスニアナム（Batrachospermum virgato-decaisneanum）、ゲフィロカプサ・オセアニカ（Gephyrocapsa oceanica）、トグラ・ブリタニカ（Togula britannica）、ノストック・コミュン（Nostoc commune）、スティゴネマ・オセラタム（Stigonema ocellatum）、スキトネマ・ジャヴァニカム（Scytonema javanicum）、アファニゾメノン・フロス-アクアエ（Aphanizomenon flos-aquae）、グロエオカプサ・デコルティカンス（Gloeocapsa decorticans）、およびオシラトリア・リムネティカ（Oscillatoria limnetica）からなる群より選択される藻類であり、前記水草がエレオカリス・アシクラリス（Eleocharis acicularis）、エゲリア・デンサ（Egeria densa）、カボンバ・カロリニアナ（Cabomba caroliniana）、およびレムナ・アオウキクサ（Lemna aoukikusa）からなる群より選択される水草である、（５）に記載の放射性同位元素の除去方法。
【００１３】
（７）独立行政法人国立環境研究所の株番号がNIES-2854〜NIES-2860のいずれかで特定される藻類を、放射性同位元素を含む対象に施用することを含む、放射性同位元素の除去方法。
【００１４】
（８）放射性同位元素が、放射性セシウム、放射性ヨウ素、および放射性ストロンチウムからなる群より選択されるものである、（５）から（７）のいずれかに記載の放射性同位元素の除去方法。
【００１５】
（９）独立行政法人国立環境研究所の株番号がNIES-2854〜NIES-2860のいずれかで特定される藻類。
【発明の効果】
【００１６】
本発明により、優れた放射性同位元素の除去活性を有する藻類および水草が同定され、それらを利用した放射性同位元素の除去剤および除去方法が提供された。本発明によれば、環境中に存在する放射性同位元素を効率的に回収し、低コストで環境を改善することが可能となる。また、本発明の藻類および水草に放射性同位元素を吸収させ、それら藻類や水草を隔離すれば、放射性同位元素により汚染された物をそのまま隔離する場合に比べて、汚染物の減容を図ることが可能となる。藻類や水草を焼却した上で隔離すれば、さらなる減容を図ることが可能となる。
【図面の簡単な説明】
【００１７】
【図１】nak1003（Spirogyra  sp.）の光学顕微鏡写真である。バーは100μm
【図２】NIES1458(Batrachospermum virgato-decaisneanum)の光学顕微鏡写真である。バーは100μm
【図３】nak9の光学顕微鏡写真である。バーは10μm
【図４】nak27の光学顕微鏡写真である。バーは100μm
【図５】TIR3（Lemna aoukikusa）の写真である。
【図６】NIES1956（Scytonema javanicum）の光学顕微鏡写真である。バーは左図100μm、右図10μm
【図７】nak8（Ophiocytium  sp.）の光学顕微鏡写真である。バーは10μm
【図８】水草の一種のWe1（Cabomba caroliniana）の写真である。
【図９】TIR4（Nostoc commune、イシクラゲ）の光学顕微鏡写真である。
【図１０】NIES2131（Stigonema ocellatum）の光学顕微鏡写真である。バーは左図100μm、右図10μm
【図１１】nak13（Tetraselmis  sp.）の光学顕微鏡写真である。バーは10μm
【図１２】NIES24（Nostoc commune）の光学顕微鏡写真である。バーは100μm
【図１３】水草の一種のWe2（Egeria densa）の写真である。
【図１４】NIES548（Acinetospora crinita）の光学顕微鏡写真である。バーは100μm
【発明を実施するための形態】
【００１８】
本発明は、藻類または水草を含む放射性同位元素の除去剤を提供する。
【００１９】
本発明において除去する対象となる「放射性同位元素」としては、本発明の藻類または水草が除去する活性を有するものであれば特に制限はないが、好ましくは、放射性セシウム、放射性ヨウ素、および放射性ストロンチウムからなる群より選択される放射性同位元素である。
【００２０】
本発明の放射性同位元素の除去剤として用いる「藻類」または「水草」としては、少なくとも1種の放射性同位元素を除去する活性を有するものであれば特に制限はないが、好ましくは、ミコナステス（Mychonastes）属、トレボウクシア（Trebouxia）属、ムリエラ（Muriella）属、メソスティグマ（Mesostigma）属、スティココッカス（Stichococcus）属、ウロスリックス（Ulothrix）属、スピロギラ（Spirogyra）属、リゾクロニウム（Rhizochlonium）属、オエドゴニウム（Oedogonium）属、テトラセルミス（Tetraselmis）属、ヘマトコッカス（Haematococcus）属、クレブソルミディウム（Klebsormidium）属、コエラストラム（Coelastrum）属、カルテリア（Carteria）属、ペディアストラム（Pediastrum）属、ポリエドリオプシス（Polyedriopsis）属、クロロモナス（Chloromonas）属、プレオドリナ（Pleodorina）属、ヴィシェリア（Vischeria）属、ポテリオオクロモナス（Poterioochromonas）属、オリストディスカス（Olisthodiscus）属、エピピクシス（Epipyxis）属、シゾクラディア（Schizocladia）属、アシネトスポラ（Acinetospora）属、ニッチア（Nitzschia）属、アステリオネロプシス（Asterionellopsis）属、オフィオキティウム（Ophiocytium）属、ヘテロシグマ（Heterosigma）属、ロデラ（Rhodella）属、バンギア（Bangia）属、バンギオプシス（Bangiopsis）属、ポルフィリディウム（Porphyridium）属、バトラコスペルマム（Batrachospermum）属、ゲフィロカプサ（Gephyrocapsa）属、トグラ（Togula）属、プロロセントラム（Prorocentrum）属、ノストック（Nostoc）属、スティゴネマ（Stigonema）属、スキトネマ（Scytonema）属、アファニゾメノン（Aphanizomenon）属、グロエオカプサ（Gloeocapsa）属、オシラトリア（Oscillatoria）属、ヘミセルミス（Hemiselmis）属、およびクリプトモナス（Cryptomonas）属からなる群より選択される属に属する藻類、またはエレオカリス（Eleocharis）属、エゲリア（Egeria）属、カボンバ（Cabomba）属、およびレムナ（Lemna）属からなる群より選択される属に属する水草である。
【００２１】
より好ましい藻類または水草は、トレボウクシア・エリシ（Trebouxia erici）、ムリエラ・ゾフィンジェンシス（Muriella zofingiensis）、メソスティグマ・ビリデ（Mesostigma viride）、スティココッカス・バシラリス（Stichococcus bacillaris）、ウロスリックス・ヴァリアビリス（Ulothrix variabilis）、ペディアストラム・シンプレックス（Pediastrum simplex）、ポリエドリオプシス・スピヌロサ（Polyedriopsis spinulosa）、ヴィシェリア・パンクタタ（Vischeria punctata）、ポテリオオクロモナス・マルハメンシス（Poterioochromonas malhamensis）、オリストディスカス・ルテウス（Olisthodiscus luteus）、エピピクシス・グラブラ（Epipyxis glabra）、シゾクラディア・イシエンシス（Schizocladia ischiensis）、アシネトスポラ・クリニタ（Acinetospora crinita）、ニッチア・パレア（Nitzschia palea）、アステリオネロプシス・グラシアリス（Asterionellopsis glacialis）、ヘテロシグマ・アカシオ（Heterosigma akashiwo）、ロデラ・ヴィオラセア（Rhodella violacea）、ポルフィリディウム・アエルギネウム（Porphyridium aerugineum）、バトラコスペルマム・ヴィルガト-デカイスニアナム（Batrachospermum virgato-decaisneanum）、ゲフィロカプサ・オセアニカ（Gephyrocapsa oceanica）、トグラ・ブリタニカ（Togula britannica）、ノストック・コミュン（Nostoc commune）、スティゴネマ・オセラタム（Stigonema ocellatum）、スキトネマ・ジャヴァニカム（Scytonema javanicum）、アファニゾメノン・フロス-アクアエ（Aphanizomenon flos-aquae）、グロエオカプサ・デコルティカンス（Gloeocapsa decorticans）、およびオシラトリア・リムネティカ（Oscillatoria limnetica）からなる群より選択される藻類、またはエレオカリス・アシクラリス（Eleocharis acicularis）、エゲリア・デンサ（Egeria densa）、カボンバ・カロリニアナ（Cabomba caroliniana）、およびレムナ・アオウキクサ（Lemna aoukikusa）からなる群より選択される水草である。
【００２２】
特に好ましい藻類は、NIES-2860で特定される藻類(nak9)、NIES-2857で特定される藻類(DA36)、NIES-2856で特定される藻類(nak15)、NIES-2854で特定される藻類(nak27)、NIES-2855で特定される藻類(nak13)、NIES-2858で特定される藻類(Rhod16)、またはNIES-2859で特定される藻類(nak8)である。
【００２３】
藻類および水草における放射性同位元素を除去する活性は、本実施例に記載の方法で検定することができる。具体的には、まず、放射性同位元素を1,000  Bq  mL-1となるよう試験サンプルを懸濁した培養液に添加する。その後、温度20℃  光強度100μmol  photons  m-2  s-1の連続光下で、例えば、14日間の放射性同位元素取り込み能の試験を行う。その間、実験開始後、例えば、0、4、7、14日後に、Araieらの方法（Araie,  H.  et  al.  Plant  Cell  Physiol,  52,  1204-1210  (2011)）を改変したシリコンオイルレイヤー法により放射活性の測定を行う。培地における初期値からの放射活性の減少を除去率として求めることができる。
【００２４】
上記の藻類または水草は、表１〜９に示す通り、少なくとも1種の放射性同位元素について、20％以上の除去率を示すものである。
【００２５】
【表１】
2014006051.tif 000002
【００２６】
【表２】
2014006051.tif 000003
【００２７】
【表３】
2014006051.tif 000004
【００２８】
【表４】
2014006051.tif 000005
【００２９】
【表５】
2014006051.tif 000006
【００３０】
【表６】
2014006051.tif 000007
【００３１】
【表７】
2014006051.tif 000008
【００３２】
【表８】
2014006051.tif 000009
【００３３】
【表９】
2014006051.tif 000010
【００３４】
具体的には、スティココッカス（Stichococcus）属に属する藻類（例えば、スティココッカス・バシラリス（Stichococcus bacillaris））、ウロスリックス（Ulothrix）属に属する藻類（例えば、ウロスリックス・ヴァリアビリス（Ulothrix variabilis））、スピロギラ（Spirogyra）属に属する藻類、リゾクロニウム（Rhizochlonium）属に属する藻類、ヘテロシグマ（Heterosigma）属に属する藻類（例えば、ヘテロシグマ・アカシオ（Heterosigma akashiwo）、好ましくはNIES-2857で特定される藻類(DA36)）、バトラコスペルマム（Batrachospermum）属に属する藻類（例えば、バトラコスペルマム・ヴィルガト-デカイスニアナム（Batrachospermum virgato-decaisneanum））、NIES-2860で特定される藻類(nak9)、およびNIES-2854で特定される藻類(nak27)、並びにレムナ（Lemna）属に属する水草（例えば、レムナ・アオウキクサ（Lemna aoukikusa））は、放射性セシウムについて20％以上の除去率を示す（表１〜３）。
【００３５】
また、メソスティグマ（Mesostigma）属に属する藻類（例えば、メソスティグマ・ビリデ（Mesostigma viride））、スピロギラ（Spirogyra）属に属する藻類、リゾクロニウム（Rhizochlonium）属に属する藻類、テトラセルミス（Tetraselmis）属に属する藻類（好ましくはNIES-2855で特定される藻類(nak13)）、クレブソルミディウム（Klebsormidium）属に属する藻類、コエラストラム（Coelastrum）属に属する藻類、ペディアストラム（Pediastrum）属に属する藻類（例えば、ペディアストラム・シンプレックス（Pediastrum simplex））、ポリエドリオプシス（Polyedriopsis）属に属する藻類（例えば、ポリエドリオプシス・スピヌロサ（Polyedriopsis spinulosa））、クロロモナス（Chloromonas）属に属する藻類、プレオドリナ（Pleodorina）属に属する藻類、ヴィシェリア（Vischeria）属に属する藻類（例えば、ヴィシェリア・パンクタタ（Vischeria punctata））、オリストディスカス（Olisthodiscus）属に属する藻類（例えば、オリストディスカス・ルテウス（Olisthodiscus luteus））、エピピクシス（Epipyxis）属に属する藻類（例えば、エピピクシス・グラブラ（Epipyxis glabra））、シゾクラディア（Schizocladia）属に属する藻類（例えば、シゾクラディア・イシエンシス（Schizocladia ischiensis））、アステリオネロプシス（Asterionellopsis）属に属する藻類（例えば、アステリオネロプシス・グラシアリス（Asterionellopsis glacialis））、オフィオキティウム（Ophiocytium）属に属する藻類（好ましくはNIES-2859で特定される藻類(nak8)）、ロデラ（Rhodella）属に属する藻類（例えば、ロデラ・ヴィオラセア（Rhodella violacea））、バンギア（Bangia）属に属する藻類、バンギオプシス（Bangiopsis）属に属する藻類（好ましくはNIES-2858で特定される藻類(Rhod16)）、バトラコスペルマム（Batrachospermum）属に属する藻類（例えば、バトラコスペルマム・ヴィルガト-デカイスニアナム（Batrachospermum virgato-decaisneanum））、プロロセントラム（Prorocentrum）属に属する藻類、ノストック（Nostoc）属に属する藻類（例えば、ノストック・コミュン（Nostoc commune））、スティゴネマ（Stigonema）属に属する藻類（例えば、スティゴネマ・オセラタム（Stigonema ocellatum））、スキトネマ（Scytonema）属に属する藻類（例えば、スキトネマ・ジャヴァニカム（Scytonema javanicum））、およびクリプトモナス（Cryptomonas）属に属する藻類、並びにエレオカリス（Eleocharis）属に属する水草（例えば、エレオカリス・アシクラリス（Eleocharis acicularis））、エゲリア（Egeria）属に属する水草（例えば、エゲリア・デンサ（Egeria densa））、カボンバ（Cabomba）属に属する水草（例えば、カボンバ・カロリニアナ（Cabomba caroliniana））、およびレムナ（Lemna）属に属する水草（例えば、レムナ・アオウキクサ（Lemna aoukikusa））は、放射性ヨウ素について20％以上の除去率を示す（表４〜６）。
【００３６】
また、ミコナステス（Mychonastes）属に属する藻類、トレボウクシア（Trebouxia）属に属する藻類（例えば、トレボウクシア・エリシ（Trebouxia erici））、ムリエラ（Muriella）属に属する藻類（例えば、ムリエラ・ゾフィンジェンシス（Muriella zofingiensis））、スピロギラ（Spirogyra）属に属する藻類、リゾクロニウム（Rhizochlonium）属に属する藻類、オエドゴニウム（Oedogonium）属に属する藻類、テトラセルミス（Tetraselmis）属に属する藻類（好ましくはNIES-2856で特定される藻類(nak15)）、ヘマトコッカス（Haematococcus）属に属する藻類、カルテリア（Carteria）属に属する藻類、ペディアストラム（Pediastrum）属に属する藻類（例えば、ペディアストラム・シンプレックス（Pediastrum simplex））、ポテリオオクロモナス（Poterioochromonas）属に属する藻類（例えば、ポテリオオクロモナス・マルハメンシス（Poterioochromonas malhamensis））、アシネトスポラ（Acinetospora）属に属する藻類（例えば、アシネトスポラ・クリニタ（Acinetospora crinita））、ニッチア（Nitzschia）属に属する藻類（例えば、ニッチア・パレア（Nitzschia palea））、オフィオキティウム（Ophiocytium）属に属する藻類（好ましくはNIES-2859で特定される藻類(nak8)）、ポルフィリディウム（Porphyridium）属に属する藻類（例えば、ポルフィリディウム・アエルギネウム（Porphyridium aerugineum））、ゲフィロカプサ（Gephyrocapsa）属に属する藻類（例えば、ゲフィロカプサ・オセアニカ（Gephyrocapsa oceanica））、トグラ（Togula）属に属する藻類（例えば、トグラ・ブリタニカ（Togula britannica））、スティゴネマ（Stigonema）属に属する藻類（例えば、スティゴネマ・オセラタム（Stigonema ocellatum））、アファニゾメノン（Aphanizomenon）属に属する藻類（例えば、アファニゾメノン・フロス-アクアエ（Aphanizomenon flos-aquae））、グロエオカプサ（Gloeocapsa）属に属する藻類（例えば、グロエオカプサ・デコルティカンス（Gloeocapsa decorticans））、オシラトリア（Oscillatoria）属に属する藻類（例えば、オシラトリア・リムネティカ（Oscillatoria limnetica））、ノストック（Nostoc）属に属する藻類（例えば、ノストック・コミュン（Nostoc commune））、およびヘミセルミス（Hemiselmis）属に属する藻類、並びにエレオカリス（Eleocharis）属に属する水草（例えば、エレオカリス・アシクラリス（Eleocharis acicularis））、エゲリア（Egeria）属に属する水草（例えば、エゲリア・デンサ（Egeria densa））、およびレムナ（Lemna）属に属する水草（例えば、レムナ・アオウキクサ（Lemna aoukikusa））は、放射性ストロンチウムについて20％以上の除去率を示す（表７〜９）。
【００３７】
これら藻類または水草を含む本発明の放射性同位元素の除去剤の形態は、藻類や水草における放射性同位元素を除去する活性を阻害しない限り、特に制限されない。例えば、藻類や水草を培養している培養液をそのまま、本発明の放射性同位元素の除去剤として用いることができる。あるいは、藻類や水草を担体（例えば、シートなど）に担持させて、本発明の放射性同位元素の除去剤として用いることもできる。
【００３８】
また、本発明は、上記藻類または水草を、放射性同位元素を含む対象に施用することを含む、放射性同位元素の除去方法を提供する。
【００３９】
本発明において藻類または水草を施用する「放射性同位元素を含む対象」としては、特に制限はないが、例えば、汚染された水環境（例えば、汚染河川、汚染海、汚染水田、汚染された廃水など）や汚染土壌、汚染された廃棄物などが挙げられる。当該対象への藻類または水草の施用の方法は、藻類または水草が放射性同位元素を除去する活性を発揮しうる限り、特に制限はない。例えば、対象が汚染された水環境の場合には、当該水環境から汚染された水を採取し、藻類または水草を施用することの他、当該水環境に藻類または水草を直接播種することもできる。また、対象が汚染土壌や汚染された廃棄物の場合には、藻類または水草の培養システムに、それらを直接投与することの他、それらから放射性物質を分離した上で藻類または水草の培養システムに投与することもできる。
【００４０】
放射性同位元素を吸収させた藻類は、フィルターにより回収することができる他、自然沈降させるか、人為的に光を遮断するなどの方法で藻類を枯死させて沈降させ、その後、上澄みを除去することにより回収することもできる。また、水草は、ネット等を用いて回収したり、メッシュ等によりろ過して回収したりすることができる。上記藻類や水草を担体に保持させている場合には、担体ごと藻類や水草を回収することができる。
【００４１】
回収した藻類や水草は、焼却により処分することができる。回収した藻類や水草、あるいは焼却により生じた灰は、環境から隔離することが好ましい。
【００４２】
また、本発明者らは、放射性同位元素を除去する活性に優れた新規藻類を提供する。特に好ましい新規藻類としては、NIES-2860で特定される藻類(nak9)、NIES-2857で特定される藻類(DA36)、NIES-2856で特定される藻類(nak15)、NIES-2854で特定される藻類(nak27)、NIES-2855で特定される藻類(nak13)、NIES-2858で特定される藻類(Rhod16)、またはNIES-2859で特定される藻類(nak8)が挙げられる。
【００４３】
これら藻類のうちNIES-2860で特定される藻類(nak9)は、放射性セシウム、放射性ヨウ素、放射性ストロンチウムについて、それぞれ55.0％、12.8％、12.0％の除去率を示す。NIES-2857で特定される藻類(DA36)は、放射性セシウム、放射性ストロンチウムについて、それぞれ20.9％、15.7％の除去率を示す。NIES-2856で特定される藻類(nak15)は、放射性セシウム、放射性ヨウ素、放射性ストロンチウムについて、それぞれ4.2％、1.1％、31.9％の除去率を示す。NIES-2854で特定される藻類(nak27)は、放射性セシウム、放射性ヨウ素、放射性ストロンチウムについて、それぞれ27.0％、4.9％、9.0％の除去率を示す。NIES-2855で特定される藻類(nak13)は、放射性ヨウ素、放射性ストロンチウムについて、それぞれ41.6％、9.2％の除去率を示す。NIES-2858で特定される藻類(Rhod16)は、放射性セシウム、放射性ヨウ素、放射性ストロンチウムについて、それぞれ5.2％、39.6％、2.9％の除去率を示す。NIES-2859で特定される藻類(nak8)は、放射性セシウム、放射性ヨウ素、放射性ストロンチウムについて、それぞれ9.0％、58.1％、26.0％の除去率を示す。
【実施例】
【００４４】
以下、実施例に基づいて本発明をより具体的に説明するが、本発明は以下の実施例に限定されるものではない。
【００４５】
筑波大学井上勲研究室が維持するカルチャーコレクションおよび国立環境研究所(NIES)より購入して実験に供した（Research  Report  from  National  Institute  for  Environmental  Studies,  Japan  No.  182,  2004）。海水培地はIMK、淡水培地はC、CSi、AF6のカリウム制限培地を適時調製し、角型培養フラスコにより培養を行った（表１〜９）。さらに無色原生生物の培養には海水またはAF-6培地にGPY培地を追加する形で添加した培地を調製して用いた（表１０〜１１）。
【００４６】
【表１０】
2014006051.tif 000011
【００４７】
【表１１】
2014006051.tif 000012
【００４８】
使用するサンプルの状態を均一にするため温度20℃、30μmol  photons  m-2  s-1の光条件下で2日間培養した後、新たな培地15mLに継代して24時間後に放射性同位元素を添加し実験を開始した。
【００４９】
まず137Cs、85Sr及び125Iを1,000  Bq  mL-1となるよう試験サンプルを懸濁した培養液に添加した。その際125Iには過酸化水素(Wako)を終濃度2.0%になるよう添加してIO3-の化学形態にしたものを50%混合して用いた。その後、温度20℃  光強度100μmol  photons  m-2  s-1の連続光下で14日間の放射性同位元素取り込み能の試験を行った。その間、実験開始後0、4、7、14日後に、Araieらの方法（Araie,  H.  et  al.  Plant  Cell  Physiol,  52,  1204-1210  (2011)）を改変したシリコンオイルレイヤー法により放射活性の測定を行った。
【００５０】
放射活性の測定においては、まず、0.4mlマイクロ遠心管（0.4ml  Micro  centrifuge  Tube  ＆  cap  BM機器）にSH550(比重1.068  DOW  CORNING  TORAY)と同SH556(比重  0.96-1.00)を混合し比重を調整したシリコンオイルを60μl加えた。そこに20%  Polyoxyethylene  Sorbitan  Monolaurate(wako)を1μl滴下した後、サンプルを懸濁した培養液200μlを上層し、6,000×gで1分間、遠心分離してから液体窒素によって瞬間的に凍結させた。そのまま2〜3分間室温にて静置し、比熱の違いによりオイル層を先に溶解させ、オイル層と水層（氷）の境目をカッターで切断した。その後、オイル層と水層のそれぞれを使い捨てのプラスティック製試験管(7ml  テストチューブ  丸底  ザルスタット社)に入れ、ガンマ線測定装置アキュフレックスガンマ7001（アロカ社）を用いて放射活性を測定した。
【００５１】
187株について、放射性同位元素を添加した培養液で培養し、培地における初期値からの放射活性の減少を除去率として求めた（表１〜９）。
【００５２】
その結果、20%以上の放射性同位元素の除去効果を示した藻類株が、セシウム、ヨウ素、ストロンチウムについて、それぞれ10株、32株、27株認められた。また、40%以上の除去効果を示した藻類株が、セシウム、ヨウ素、ストロンチウムについて、それぞれ6株、9株、4株認められた。
【００５３】
セシウムについては、淡水性緑藻のnak1003（Spirogyra.  sp、接合藻綱、図１）が培地から約68％の放射性セシウムの除去率を示した。淡水産紅藻のNIES1458（Batrachospermum virgato-decaisneanum、真正紅藻綱、図２）と淡水性緑藻のNIES329（Ulothrix variabilis、緑色植物門アオサ藻綱）がそれぞれ約62%、約57%の除去率を示した。また、淡水性黄色植物のnak9（真正眼点藻綱、図３）も55%の除去率を示した。また、海水性藻類ではnak-27（ハプト植物門プリムネシウム藻綱、図４）とDA36（Heterosigma akashiwo、黄色植物ラフィド藻綱）がそれぞれ27%、約21%の除去率を示した。また、水草の一種のTIR2とTIR3（Lemna aoukikusa、アオウキクサ、図５）およびNIES1458がそれぞれ約51%、約48%の除去率を示した。
【００５４】
ヨウ素については、淡水性ラン藻のNIES1956（Scytonema javanicum、図６）が約60%と最も高い除去率を示したほか、淡水性黄色植物のnak8（Ophiocytium  sp.、黄緑色藻綱、図７）と水草の一種のWe1（Cabomba caroliniana、図８）およびTIR3がそれぞれ約58%、54%、約53%と高い除去率を示した。陸生ラン藻のTIR4（Nostoc commune、イシクラゲ、図９)、淡水性ラン藻のNIES2131（Stigonema ocellatum、図１０）も、ともに約45%という高い除去率を示した。また、海水性藻類ではnak13（Tetraselmis  sp.、緑色植物クロロデンドロン藻綱、図１１）とRhod16（Bangiopsis  sp.、紅色植物ベニミドロ藻綱）がそれぞれ約42%と約40%の除去率を示した。
【００５５】
ストロンチウムについては、陸生ラン藻のNIES24（Nostoc commune、イシクラゲ、図１２）、NIES2131（図１０）、水草の一種のWe2（Egeria densa、図１３）がそれぞれ約92%、約79%、約57%と高い除去率を示した。海水性藻類としては、黄色植物のNIES548（Acinetospora crinita、褐藻綱、図１４）や緑色植物のnak15（Tetraselmis  sp.、クロロデンドロン藻綱）がそれぞれ約36%、約32%と高い除去率を示した。
【００５６】
以上の結果は、藻類や水草を用いることで環境中に放出された放射性同位元素を高効率で回収することが可能であることを証明するものである。
【００５７】
なお、表１〜９におけるnak9、DA36、nak15、nak27、nak13、Rhod16、およびnak8は、独立行政法人国立環境研究所の微生物系統保存施設（NIESコレクション）（郵便番号305-8506、日本国茨城県つくば市小野川16-2）に、株番号がそれぞれNIES-2860、NIES-2857、NIES-2856、NIES-2854、NIES-2855、NIES-2858、NIES-2859で、2012年5月31日に受託されている。
【００５８】
これらの藻類は、技術的理由により独立行政法人製品評価技術基盤機構（NITE）の特許微生物寄託センター（NITE-IPOD）に寄託できなかったことから、その分譲は、出願人が保証する。また、これら藻類は、NIESコレクションから入手可能である。
【００５９】
なお、これら藻類の分類学的性質は以下の通りである。
【００６０】
(1)nak-9；不等毛植物門  Eustigmatophyceae
＜形状的特徴＞
細胞の形態（細胞壁をもった球状）、葉緑体の色調（黄緑色）や数（多数）、橙色の色素顆粒の蓄積など本綱の同定の基となる特徴をもつ。
＜外観の形状的特徴＞
緑色を呈する。
＜細胞の形状的特徴＞
形状：細胞は球状またはやや楕円状、細胞壁を持つ不動性の単細胞生物。橙色の色素顆粒を有する。
【００６１】
(2)DA36；不等毛植物門  ラフィド藻鋼  Heterosigma akashiwo
＜形状的特徴＞
細胞の形態（ほぼ楕円形で扁平、前端は鈍円，後端は尖る）、鞭毛（前端からやや後方の凹みから亜等長の2本の鞭毛がでる）や葉緑体の色調（黄褐色）など本属の同定の基となる形態的特徴をもつ。
＜外観の形状的特徴＞
黄褐色を呈する。細胞の多くが試験管の液面に存在するが、古くなると底に沈殿する。
＜細胞の形状的特徴＞
形状：扁平で楕円形。細胞の前端は丸く後端は尖る。細胞前端のやや後部の凹みから2本の鞭毛を生じる。鞭毛は亜等長。
【００６２】
(3)nak-15；緑藻植物門  クロロデンドロン藻綱  Tetraselmis  sp.
＜形状的特徴＞
細胞の形態（やや扁平、前端の陥入部、4本の鞭毛）や葉緑体の色調（緑色）、ピレノイドの存在など本属の同定の基となる形態的特徴をもつ。
＜外観の形状的特徴＞
培地全体が緑色を呈する。古くなると試験管の底に沈殿する。
＜細胞の形状的特徴＞
形状：扁平で楕円形。細胞前端が平で中央に窪みがあり、その底から4本の等長鞭毛が生じている。ただし遊泳しない不動性細胞もしばしば見られる。大きさ：8-10μm。
【００６３】
(4)nak-27；ハプト植物門  Prymnesiophyceae
＜形状的特徴＞
細胞の形態、葉緑体の色調（黄褐色）と数（基本的に2つ）など、本綱の同定の基となる形態的特徴をもつ。
＜外観の形状的特徴＞
黄褐色を呈する。特に試験管の底に沈殿する事が多い。
＜細胞の形状的特徴＞
形状：球状の単細胞生物。遊泳細胞は等長の2本の鞭毛をもつ。大きさ：8-20μm。
【００６４】
(5)PK-2(nak-13)；緑藻植物門  クロロデンドロン藻綱  Tetraselmis  sp.
＜形状的特徴＞
細胞の形態（やや扁平、前端の陥入部、4本の鞭毛）や葉緑体の色調（緑色）、ピレノイドの存在など本属の同定の基となる形態的特徴をもつ。
＜外観の形状的特徴＞
培地全体が緑色を呈する。古くなると試験管の底に沈殿する。
＜細胞の形状的特徴＞
形状：扁平で楕円形。細胞前端が平で中央に窪みがあり、その底から4本の等長鞭毛が生じている。ただし遊泳しない不動性細胞もしばしば見られる。大きさ：8-10μm。
【００６５】
(6)AYCC550(Rhod16)；紅色植物門  ベニミドロ綱  Bangiopsis  sp.
＜形状的特徴＞
細胞の形態、葉緑体の色調（紅褐色）など本属の同定の基となる形態的特徴をもつ。
＜外観の形状的特徴＞
紅褐色を呈する。細胞は試験管の底に沈殿する。
＜細胞の形状的特徴＞
形状：球状の単細胞。不動性。
【００６６】
(7)XH-1(nak-8)；不等毛植物門  黄緑色藻綱  Ophiocytium  sp.
＜形状的特徴＞
細胞の形態（両端が丸い細長い管状）、葉緑体の色調（黄緑色）や数（多数）など本属の同定の基となる形態的特徴をもつ。
＜外観の形状的特徴＞
緑色を呈し、特に試験管の底に沈殿する。
＜細胞の形状的特徴＞
形状：細長い円筒状。群体を生じる。大きさ：（長さ）30μm。
【産業上の利用可能性】
【００６７】
上記の通り、本発明によれば、環境中に存在する放射性同位元素を効率的に回収し、低コストで環境を改善することが可能となるため、本発明は、例えば、原子力発電所の事故に伴う放射性同位元素の放出により生じた汚染土壌や汚染水における除染に大きく貢献しうるものである。
【図１】
2014006051.tif 000013
【図２】
2014006051.tif 000014
【図３】
2014006051.tif 000015
【図４】
2014006051.tif 000016
【図５】
2014006051.tif 000017
【図６】
2014006051.tif 000018
【図７】
2014006051.tif 000019
【図８】
2014006051.tif 000020
【図９】
2014006051.tif 000021
【図１０】
2014006051.tif 000022
【図１１】
2014006051.tif 000023
【図１２】
2014006051.tif 000024
【図１３】
2014006051.tif 000025
【図１４】
2014006051.tif 000026